(57)【要約】      （修正有）【課題】マルチバンド無線チャンネルにおけるライセンスフィードバックを使用したアンライセンス帯域通信のための認知イネーブラを実現する装置及び方法を提供する。【解決手段】装置１００は、データを受信するためのデータ受信機１１０を備える。データは、第１の伝達によって第１チャネルにおいて送信される。その上、装置１００は、第２の伝達によって第２チャネルにおいて送信情報を送信するための送信情報送信機１２０を備える。送信情報は、第１の伝達に応じて決まる制御情報であるか又は第１チャネルのチャネル品質を示すチャネル品質情報である。第２チャネルは、第１チャネルとは異なる。【選択図】図１
2019013011.tif 000002
【特許請求の範囲】
【請求項１】
データを受信するための装置（１００）であって、
前記データを受信するためのデータ受信機（１１０）であって、前記データが第１の伝達によって第１チャネルにおいて送信されるデータ受信機（１１０）と、
第２の伝達によって第２チャネルにおいて送信情報を送信するための送信情報送信機（１２０）と、を備え、
前記送信情報が前記第１の伝達に応じて決まる制御情報であるか、又は前記送信情報が前記第１チャネルのチャネル品質を示すチャネル品質情報であり、
前記第２チャネルが前記第１チャネルとは異なることを特徴とする装置（１００）。
【請求項２】
前記第１チャネルはアンライセンススペクトル帯域内に位置し、前記第２チャネルはライセンススペクトル帯域内に位置する請求項１に記載の装置（１００）。
【請求項３】
前記アンライセンススペクトル帯域はＩＳＭスペクトル帯域である請求項２に記載の装置（１００）。
【請求項４】
前記ライセンススペクトル帯域はＵＭＴＳ帯域である請求項２又は３に記載の装置。
【請求項５】
前記ライセンススペクトル帯域はＧＰＲＳ帯域である請求項２又は３に記載の装置。
【請求項６】
前記ライセンススペクトル帯域はＬＴＥ帯域である請求項２又は３に記載の装置。
【請求項７】
前記送信情報送信機（１２０）は、前記第２チャネル内の前記送信情報として、前記データが受信されたことを示すパケット肯定応答（ＡＣＫ）信号、又はさらなるデータが送信されるべきであることを示す送信要求（ＲＴＳ）信号を送信するように構成されている請求項１から６のいずれか一項に記載の装置（１００）。
【請求項８】
データを送信するための装置（２００）であって、
第１の伝達によって第１チャネルにおいて前記データを送信するためのデータ送信機（２１０）と、
第２の伝達によって第２チャネルにおいて送信情報を受信するための送信情報受信機（２２０）と、を備え、
前記送信情報が前記第１の伝達に応じて決まる制御情報であるか、又は前記送信情報が前記第１チャネルのチャネル品質を示すチャネル品質情報であり、
前記第２チャネルが前記第１チャネルとは異なることを特徴とする装置（２００）。
【請求項９】
前記第１チャネルはアンライセンススペクトル帯域内に位置し、前記第２チャネルはライセンススペクトル帯域内に位置する請求項８に記載の装置（２００）。
【請求項１０】
前記アンライセンススペクトル帯域はＩＳＭスペクトル帯域である請求項９に記載の装置（２００）。
【請求項１１】
前記ライセンススペクトル帯域はＵＭＴＳ帯域である請求項９又は１０に記載の装置（２００）。
【請求項１２】
前記ライセンススペクトル帯域はＧＰＲＳ帯域である請求項９又は１０に記載の装置（２００）。
【請求項１３】
前記ライセンススペクトル帯域はＬＴＥ帯域である請求項９又は１０に記載の装置（２００）。
【請求項１４】
前記送信情報受信機（２２０）は、前記第２チャネル内の前記送信情報として、前記データが受信されたことを示すパケット肯定応答（ＡＣＫ）信号、又はさらなるデータが送信されるべきであることを示す送信可（ＲＴＳ）信号を受信するように構成されている請求項８から１３のいずれか一項に記載の装置（２００）。
【請求項１５】
システムであって、
データを送信するための請求項８から１４のいずれか一項に記載の装置（２００）と、
データを受信するための請求項１から７のいずれか一項に記載の装置（１００）と、を備え、
前記請求項８から１４のいずれか一項に記載の装置（２００）の前記データ送信機（２１０）は、第１の伝達によって第１チャネルにおいて前記データを送信するように構成されており、
前記請求項１から７のいずれか一項に記載の装置（１００）の前記データ受信機（１１０）は前記データを受信するように構成されており、
前記請求項１から７のいずれか一項に記載の装置（１００）の前記送信情報送信機（１２０）は、第２の伝達によって第２チャネルにおいて送信情報を送信するように構成されており、前記送信情報が前記第１の伝達に応じて決まる制御情報であるか、又は前記送信情報が前記第１チャネルのチャネル品質を示すチャネル品質情報であり、
前記請求項８から１４のいずれか一項に記載の装置（２００）の前記送信情報受信機（２２０）は、前記送信情報を受信するように構成されており、
前記第２チャネルが前記第１チャネルとは異なることを特徴とするシステム（２００）。
【請求項１６】
前記システムは、データを受信するための請求項１から７のいずれか一項に記載の装置を第１の端末として備え、
前記システムは、データを受信するための請求項１から７のいずれか一項に記載の装置を第２の端末としてさらに備え、
前記第１の端末の前記送信情報送信機は、前記第２チャネルにおいて第１の伝達情報を送信するように構成されており、
前記第２の端末の前記送信情報送信機は、前記第２チャネルにおいて第２の伝達情報を送信するように構成されている請求項１５に記載のシステム。
【請求項１７】
前記システムは、データを受信するための請求項１から７のいずれか一項に記載のさらなる装置を第３の端末としてさらに備え、
前記第１の端末の前記送信情報送信機は、前記第２チャネルにおいて第１の伝達情報を送信するように構成されており、
前記第３の端末の前記送信情報送信機は、前記第１チャネル及び前記第２チャネルとは異なる第３のチャネルにおいて第３の送信情報を送信するように構成されている請求項１６に記載のシステム。
【請求項１８】
データを受信するための方法であって、
データを受信するステップであって、前記データが第１チャネルにおいて第１の伝達により送信されるステップと、
第２チャネルにおいて第２の伝達により送信情報を送信するステップと、を含み、
前記送信情報が前記第１の伝達に応じて決まる制御情報であるか、又は前記送信情報が前記第１チャネルのチャネル品質を示すチャネル品質情報であり、
前記第２チャネルが前記第１チャネルとは異なることを特徴とする方法。
【請求項１９】
データを送信するための方法であって、
前記データを送信するステップであって、前記データが第１チャネルにおいて第１の伝達により送信されるステップと、
第２の伝達によって第２チャネルにおいて送信情報を受信するステップと、を含み、
前記送信情報が前記第１の伝達に応じて決まる制御情報であるか、又は前記送信情報が前記第１チャネルのチャネル品質を示すチャネル品質情報であり、
前記第２チャネルが前記第１チャネルとは異なることを特徴とする方法。
【請求項２０】
第１チャネルにおいてデータを第１の伝達により送信するステップと、
前記データを受信するステップと、
第２チャネルにおいて第２の伝達により送信情報を送信するステップであって、前記送信情報が前記第１の伝達に応じて決まる制御情報であるか、又は前記送信情報が前記第１チャネルのチャネル品質を示すチャネル品質情報であるステップと、
前記送信情報を受信するステップと、を含み、
前記第２チャネルが前記第１チャネルとは異なることを特徴とする方法。
【請求項２１】
コンピュータ又は信号プロセッサ上で実行されるときに請求項１８から２０のいずれか一項に記載の方法を実施するためのコンピュータプログラム。
【発明の詳細な説明】
【技術分野】
【０００１】
本発明は、アンライセンス帯域通信に関し、特に、マルチバンド無線チャンネルにおけるライセンスフィードバックを使用したアンライセンス帯域通信のための認知イネーブラを実現する装置及び方法に関する。
【背景技術】
【０００２】
アンライセンス帯域通信はますます重要になってきている。アンライセンス帯域通信の例は、「アンライセンス全米情報インフラストラクチャ」（Ｕ−ＮＩＩ）帯域と呼ばれるアンライセンス帯域において動作可能なワイヤレスネットワーク、例えば商用ワイヤレスネットワークである。
【０００３】
アンライセンス帯域におけるワイヤレスネットワーキングの一般的な標準例は、ワイヤレスＬＡＮ−Ｗｉ−Ｆｉ，  ＩＥＥＥ  ８０２．１１  （ａ／ｂ／ｇ／ｈ／ｊ／ｎ）である。現在、欧州における動作帯域は、２．４１２ＧＨｚ〜２．４７２ＧＨｚ、５．２４ＧＨｚ〜５．６８０ＧＨｚである。これらの現行のワイヤレスＬＡＮ（ローカルエリアネットワーク）規格は、時分割複信（ＴＤＤ）において動作する。
【０００４】
しかしながら、将来において、何らかのライセンス帯域さえ、二次的なオペレータによって一時的にアクセスされ、それらの帯域が物理層において実質的にアンライセンスになる可能性がある。
【０００５】
効率的なリンク動作を可能にするために、物理層（ＰＨＹ層）は、チャネル状態情報を受信機から送信機に転送する必要がある。
【０００６】
時分割複信（ＴＤＤ）アンライセンス帯域のチャネル状態情報は、相反原理によって推定でき、この事例においては、チャネルフィードバックは黙示的に搬送される。しかしながら、この情報の信頼性は、ほぼ間違いなく不明確である。
【０００７】
そうでない場合、明示的なフィードバック情報は、送信機に対する送信機からの要求を受けた受信機によるものであり、タイムスロットが送信機によって取得される必要がある。
【０００８】
他方、マルチユーザＭＩＭＯ（ＭＩＭＯ＝多入力多出力）のような強化物理層は、多くのワイヤレスシステムに対して既に実装されており、アンライセンス帯域通信に利用することができる。この目的のために、マルチユーザＭＩＭＯのチャネル品質又はプレコーディング情報を、短期間内に複数のデバイスから作成しなければならない。
【０００９】
現在、ワイヤレスＬＡＮのようなアンライセンス帯域におけるＭＡＣ（媒体アクセス制御）動作について、送信要求（ＲＴＳ）信号及び送信可（ＣＴＳ）信号による衝突回避メカニズムが、それぞれ受信機及び送信機によって送信される。パケット肯定応答（ＡＣＫ）が、データペイロードと時間分割方式でアンライセンス帯域において送信される。加えて、デバイスは、ＡＣＫ及びＨＡＲＱ（ハイブリッド自動反復要求）パケットのような重要な情報を送信するために使用される媒体を確保するために、ネットワーク割り当てベクトル（ＮＡＶ）を送信することができる。
【００１０】
欠点は、例えば、アンライセンス帯域においては別の予期せぬワイヤレスリンクのデータ送信が、進行中のワイヤレスリンクの制御シグナリングに不利に干渉する可能性があることである。その上、この干渉を抑制するために、チャネル競合が制御パケットにも必要とされる。さらに、各デバイスからのチャネル品質も、時間的に別個に行われる必要があり、マルチユーザＭＩＭＯ通信に関する問題が悪化する。その上、たとえチャネル品質が搬送される場合であっても、これは送信機において高い信頼性をもって受信されなければならない。さらに複雑なことに、チャネルが競合しながら利用されるときは、送信機が、与えられた時間でいずれか一方（すなわち、制御、データ又はチャネル品質のいずれか）しか送信することができない。
【発明の概要】
【発明が解決しようとする課題】
【００１１】
本発明の目的は、改善された通信概念を提供することである。
【課題を解決するための手段】
【００１２】
本発明の目的は、請求項１による装置、請求項８による装置、請求項１５によるシステム、請求項１８による方法、請求項１９による方法、請求項２０による方法、及び、請求項２１によるコンピュータプログラムによって解決される。
【００１３】
データを受信するための装置が提供される。
【００１４】
装置は、データを受信するためのデータ受信機を備え、データは第１チャネルにおいて第１の伝達により送信される。
【００１５】
さらに、装置は、第２チャネルにおいて第２の伝達により送信情報を送信するための送信情報送信機を備える。送信情報は第１の伝達に応じて決まる制御情報であるか、又は送信情報は第１チャネルのチャネル品質を示すチャネル品質情報である。
【００１６】
第２チャネルは第１チャネルとは異なる。
【００１７】
一実施形態において、第１チャネルは、アンライセンススペクトル帯域内に位置してもよく、第２チャネルは、ライセンススペクトル帯域内に位置する。
【００１８】
一実施形態によれば、アンライセンススペクトル帯域は、ＩＳＭスペクトル帯域であってもよい。ライセンススペクトル帯域は、ＬＴＥ帯域、ＵＭＴＳ帯域又はＧＰＲＳ帯域であってもよい。
【００１９】
一実施形態において、送信情報送信機は、第２チャネル内の送信情報として、データが受信されたことを示すパケット肯定応答（ＡＣＫ）信号、又はさらなるデータが送信されるべきであることを示す送信要求（ＲＴＳ）信号を送信するように構成されている。
【００２０】
さらに、データを送信するための装置が提供される。
【００２１】
装置は、第１チャネルにおいて第１の伝達によりデータを送信するためのデータ送信機を備える。
【００２２】
さらに、装置は、第２の伝達によって第２チャネルにおいて送信情報を受信するための送信情報受信機を備える。送信情報は第１の伝達に応じて決まる制御情報であるか、又は送信情報は第１チャネルのチャネル品質を示すチャネル品質情報である。
【００２３】
第２チャネルは第１チャネルとは異なる。
【００２４】
一実施形態によれば、第１チャネルはアンライセンススペクトル帯域内に位置してもよく、第２チャネルはライセンススペクトル帯域内に位置する。
【００２５】
一実施形態において、アンライセンススペクトル帯域は、ＩＳＭスペクトル帯域であってもよい。ライセンススペクトル帯域は、ＬＴＥ帯域、ＵＭＴＳ帯域又はＧＰＲＳ帯域であってもよい。
【００２６】
一実施形態によれば、送信情報受信機は、第２チャネル内の送信情報として、データが受信されたことを示すパケット肯定応答（ＡＣＫ）信号、又はさらなるデータが送信されるべきであることを示す送信可（ＲＴＳ）信号を受信するように構成されてもよい。
【００２７】
さらに、システムが提供される。そのシステムは、データを送信するための一実施形態による装置と、データを受信するための一実施形態による装置とを備える。
【００２８】
データを送信するための装置のデータ送信機は、第１チャネルにおいて第１の伝達によりデータを送信するように構成されている。データを受信するための装置のデータ受信機は、データを受信するように構成されている。データを受信するための装置の送信情報送信機は、第２チャネルにおいて第２の伝達により送信情報を送信するように構成されており、送信情報は第１の伝達に応じて決まる制御情報であるか、又は送信情報は第１チャネルのチャネル品質を示すチャネル品質情報である。データを送信するための装置の送信情報受信機は、送信情報を受信するように構成されている。
【００２９】
第２チャネルは第１チャネルとは異なる。
【００３０】
一実施形態によれば、システムは、データを受信するための装置を第１の端末として備えてもよい。システムは、データを受信するための別の装置を第２の端末としてさらに備えてもよい。第１の端末の送信情報送信機は、第２チャネルにおいて第１の伝達情報を送信するように構成されてもよい。第２の端末の送信情報送信機は、第２チャネルにおいて第２の伝達情報を送信するように構成されてもよい。したがって、第１の伝達情報及び第２の伝達情報は同じチャネル、すなわち、第２チャネルにおいて送信される。
【００３１】
一実施形態において、システムは、データを受信するためのさらなる装置を第３の端末としてさらに備えてもよい。第１の端末の送信情報送信機は、第２チャネルにおいて第１の伝達情報を送信するように構成される。第３の端末の送信情報送信機は、第１チャネル及び第２チャネルとは異なる第３のチャネルにおいて第３の送信情報を送信するように構成される。
【００３２】
さらに、データを受信するための方法が提供される。その方法は、
-  データを受信するステップであって、そのデータは、第１チャネルにおいて第１の伝達により送信されるステップと、
-  第２チャネルにおいて第２の伝達により送信情報を送信するステップと、を含む。
【００３３】
送信情報は第１の伝達に応じて決まる制御情報であるか、又は送信情報は第１チャネルのチャネル品質を示すチャネル品質情報である。第２チャネルは第１チャネルとは異なる。
【００３４】
さらに、データを送信するための方法が提供される。方法は、
-  データを送信するステップであって、そのデータは、第１チャネルにおいて第１の伝達により送信されるステップと、
-  第２チャネルにおいて第２の伝達により送信情報を受信するステップと、を含む。
【００３５】
送信情報は、第１の伝達に応じて決まる制御情報であるか、又は、送信情報は、第１チャネルのチャネル品質を示すチャネル品質情報である。第２チャネルは第１チャネルとは異なる。
【００３６】
さらに、方法が提供される。方法は、
-  第１チャネルにおいて第１の伝達によりデータを送信するステップと、
-  データを受信するステップと、
-  第２チャネルにおいて第２の伝達により送信情報を送信するステップであって、送信情報が第１の伝達に応じて決まる制御情報であるか、又は送信情報が第１チャネルのチャネル品質を示すチャネル品質情報であるステップと、
-  送信情報を受信するステップと、を含む。
【００３７】
第２チャネルは第１チャネルとは異なる。
【００３８】
さらに、コンピュータ又は信号プロセッサ上で実行されるときに、上述した方法を実施するためのコンピュータプログラムが提供される。
【００３９】
実施形態は、コグニティブ無線設定においてマルチバンド端末をサポートする無線アーキテクチャのための通信プロトコルを提供する。マルチバンド無線端末は、通信のために同時に複数の帯域上で送信及び受信することができるものである。そうするために、デバイスは、アンライセンス帯域で、かつ時分割複信（ＴＤＤ）において動作可能ないくつかの複数の帯域と、ライセンス帯域であり、かつ周波数分割複信（ＦＤＤ）において動作可能ないくつかの他の帯域と、にアクセスすることができる。デバイスは、スペクトルのホワイトスペース、例えば、デジタル分配帯域に基づいてオーバーレイとしてライセンススペクトルにアクセスしていてもよい。
【００４０】
実施形態は、このアンライセンス帯域及びライセンス帯域の二重の通信シナリオを利用するためのプロトコルソリューションを提供する。例えば、実施形態は、アンライセンス帯域の無線リソースをより良好に管理するための制御シグナリングの高信頼の送信のための概念を提供する。さらに、実施形態は、アンライセンス帯域の高信頼のチャネル品質フィードバックのための概念を提供する。そのため、そのフィードバックは、干渉の影響をより受けにくく、同時に、より高速のチャネル更新をもたらすことが可能である。さらに、実施形態は、パケット再送メカニズム（例えば、ＡＣＫ、ＮＡＣＫ、ＨＡＲＱ）における効率を改善するための概念を提供する。
【００４１】
実施形態は、アンライセンス帯域端末の物理（ＰＨＹ）及び媒体アクセス制御（ＭＡＣ）に関する。ほとんどのワイヤレスネットワークにおいて、通常、ＭＡＣ層の役割は、複数の端末が与えられた周波数帯域設定にアクセスしようとするときに、ワイヤレスリソースをより良好に利用することであり、一方で、ＰＨＹは送信可能性に適合することができる。
【００４２】
しかしながら、アンライセンス帯域におけるＭＡＣの動作は特に困難となり得る。なぜなら、アンライセンス帯域端末を組織化するためのフレームワークをリアルタイムで実現することは困難な可能性があるからである。実施形態は、そのようなフレームワークを展開するための基礎としての役割を果たすことができる通信方法を提供する。
【図面の簡単な説明】
【００４３】
【図１】一実施形態によるデータを受信するための装置の図である。
【図２】一実施形態によるデータを送信するための装置の図である。
【図３】一実施形態によるシステムの図である。
【図４】一実施形態によるＴＤＤアンライセンス帯域のためのマルチバンド無線におけるＦＤＤフィードバック方法を示す図である。
【図５】セルラ基地局を介した２つのワイヤレスＬＡＮネットワークの間の協調を示す無線ネットワークを示す図である。
【発明を実施するための形態】
【００４４】
以下において、本発明の実施形態を、図面を参照してより詳細に説明する。
【００４５】
図２は、一実施形態によるデータを送信するための装置２００を示す。
【００４６】
装置２００は、データを送信するためのデータ送信機２１０を備える。データ送信機２１０は、第１チャネルにおいて第１の伝達によりデータを送信するように構成されている。
【００４７】
さらに、装置２００は、送信情報を受信するための送信情報受信機２２０を備える。送信情報は、第２チャネルにおいて第２の伝達により送信される。送信情報は第１の伝達に応じて決まる制御情報であるか、又は送信情報は第１チャネルのチャネル品質を示すチャネル品質情報である。
【００４８】
第２チャネルは第１チャネルとは異なる。言い換えれば、第１の伝達において送信されるデータは、送信情報が受信されるチャネルとは異なるチャネルにおいて送信される。
【００４９】
一実施形態によれば、第１チャネルは、アンライセンススペクトル帯域内に位置してもよく、第２チャネルは、ライセンススペクトル帯域内に位置する。言い換えれば、データはアンライセンススペクトル帯域において送信され、送信情報はライセンススペクトル帯域において送信される。
【００５０】
一実施形態において、アンライセンススペクトル帯域は、ＩＳＭスペクトル帯域であってもよい。ライセンススペクトル帯域は、ＬＴＥ（ロングタームエボリューション）帯域、ＵＭＴＳ（ユニバーサルモバイルテレコミュニケーションシステム）帯域又はＧＰＲＳ（汎用パケット無線サービス）帯域であってもよい。
【００５１】
送信情報はデータが送信された第１チャネルのチャネル品質を示すチャネル品質情報であるか、又は、送信情報は第１の伝達に応じて決まる制御情報である。制御情報は、例えば、第２チャネル内の送信情報としての、データが受信されたことを示すパケット肯定応答（ＡＣＫ）信号、又は、さらなるデータが送信されるべきであることを示す送信可（ＲＴＳ）信号であってもよい。
【００５２】
第１チャネルにおいて送信されるデータは、例えば、ユーザデータであってもよい。
【００５３】
図１は、一実施形態によるデータを受信するための装置１００を示す。
【００５４】
装置１００は、データを受信するためのデータ受信機１１０を備える。データは、第１チャネルにおいて第１の伝達により送信される。
【００５５】
その上、装置１００は、送信情報を送信するための送信情報送信機１２０を備える。送信情報送信機１２０は、第２の伝達によって第２チャネルにおいて送信情報を送信するように構成される。送信情報は、第１の伝達に応じて決まる制御情報であるか、又は、送信情報は、第１チャネルのチャネル品質を示すチャネル品質情報である。
【００５６】
第２チャネルは第１チャネルとは異なる。
【００５７】
一実施形態において、第１チャネルは、アンライセンススペクトル帯域内に位置してもよく、第２チャネルは、ライセンススペクトル帯域内に位置する。
【００５８】
一実施形態によれば、アンライセンススペクトル帯域は、ＩＳＭスペクトル帯域であってもよい。ライセンススペクトル帯域は、ＬＴＥ帯域、ＵＭＴＳ帯域又はＧＰＲＳ帯域であってもよい。
【００５９】
一実施形態において、送信情報送信機１２０は、第２チャネル内の送信情報として、データが受信されたことを示すパケット肯定応答（ＡＣＫ）信号、又は、さらなるデータが送信されるべきであることを示す送信要求（ＲＴＳ）信号を送信するように構成されている。
【００６０】
図３は、一実施形態によるシステムを示す。
【００６１】
システムは、データを送信するための一実施形態による装置２００と、データを受信するための一実施形態による装置１００とを備える。
【００６２】
データを送信するための装置２００のデータ送信機２１０は、第１チャネルにおいて第１の伝達によりデータを送信するように構成されている。データを受信するための装置１００のデータ受信機１１０は、データを受信するように構成されている。
【００６３】
データを受信するための装置１００の送信情報送信機１２０は、第２チャネルにおいて第２の伝達により送信情報を送信するように構成されており、送信情報は第１の伝達に応じて決まる制御情報であるか、又は、送信情報は第１チャネルのチャネル品質を示すチャネル品質情報である。
【００６４】
データを送信するための装置２００の送信情報受信機２２０は、送信情報を受信するように構成されている。第２チャネルは第１チャネルとは異なる。
【００６５】
一実施形態によれば、システムは、データを受信するための装置を第１の端末として備えてもよい。システムは、データを受信するための別の装置を第２の端末としてさらに備えてもよい。第１の端末の送信情報送信機は、第２チャネルにおいて第１の伝達情報を送信するように構成されてもよい。第２の端末の送信情報送信機は、第２チャネルにおいて第２の伝達情報を送信するように構成されてもよい。したがって、第１の伝達情報及び第２の伝達情報は同じチャネル、すなわち、第２チャネルにおいて送信される。
【００６６】
一実施形態において、システムは、データを受信するためのさらなる装置を第３の端末としてさらに備えてもよい。第１の端末の送信情報送信機は、第２チャネルにおいて第１の伝達情報を送信するように構成される。第３の端末の送信情報送信機は、第１チャネル及び第２チャネルとは異なる第３のチャネルにおいて第３の送信情報を送信するように構成される。
【００６７】
実施形態によれば、アンライセンススペクトル内の通信リンクに対応する制御信号（一種の送信情報）は、デバイスのベースバンド装置において分離され、特別にライセンスされている周波数を利用して異なる無線周波数チェーン（ＲＦチェーン）内の異なる周波数帯域を介して送信される。現在ワイヤレスネットワークの広く使用されているアンライセンススペクトル帯域のいくつかは、ＩＳＭ帯域２．４ＧＨｚ、５．２ＧＨｚ（ＩＳＭ＝産業、科学及び医療）であり、一方で、ライセンス帯域は、２．６ＧＨｚ  ＬＴＥ帯域であり得る。ライセンス周波数の一部は、周知のセルラ帯域に属し得るか、又は、コグニティブデバイスによるオーバーレイホワイトスペースアクセスであり得る。
【００６８】
したがって、実施形態は、以下のような効率的な動作を可能にする、すなわち、ＲＴＳ／ＣＴＳメカニズムに基づいてＴＤＤ／アンライセンスモードでデータ送信が継続している間、フィードバックと制御データが、周波数分割多重化モードでライセンスチャネルを介して同時になされる。フィードバック及び制御データは、チャネル品質、チャネル割り当て情報及びＲＴＳ／ＣＴＳシグナリング自体を搬送するものである。例えば、フィードバック及び制御データは送信情報である。
【００６９】
複数のライセンス及びアンライセンス帯域の同時動作をサポートするデバイスハードウェアにより、ＷＬＡＮアクセスポイント及び受信機での複数の周波数帯域の送信及び受信が可能になると想定できる。そのような通信概念は下記の図面において示されており、ダウンリンク制御及びアップリンク制御が、対になったライセンススペクトルを使用してＦＤＭＡにおいて実施され、一方でデータ通信はアンライセンス帯域において行われる。
【００７０】
現行の技術水準において、ＭＡＣプロトコルは、アンライセンス帯域における媒体アクセスについて、競合ベースのメカニズムに依拠する。競合ベースのメカニズムにおいて、目的は、送信帯域幅を同時に一者のユーザ及びアクセスポイントに割り当てることである。多くのユーザを有するワイヤレスＬＡＮネットワークは一般的に、ＲＴＳ及びＣＴＳシグナリングとともに、キャリア検知メカニズムを利用する。
【００７１】
現行の技術水準のメカニズムには、ワイヤレスＬＡＮアクセスポイントが一度に一者のユーザにしか送信しないという欠点があり、さらに、２つの近接するアクセスポイントが周波数帯域を再使用することができないという欠点がある。例えば、２つの隣接するアクセスポイントが手動でチャネル１１に設定されたとすると、先着順の原則に基づいて一時点に２つのうちの一方しか、アクセスを得られないことになる。
【００７２】
アンライセンス帯域における媒体アクセスのために競合ベースのメカニズムに依拠する現行の技術水準のＭＡＣプロトコルの制約を克服するために、提案されているプロトコル内で、実施形態は、ＷＬＡＮ端末及びアクセスポイントの両方からの帯域外シグナリング（ライセンス帯域における）を通じてチャネル品質フィードバックを提供する。
【００７３】
図４は、一実施形態によるＴＤＤアンライセンス帯域のためのマルチバンド無線におけるＦＤＤフィードバック方法を示す図である。
【００７４】
実施形態によれば、例えば、図４の実施形態によれば、チャネルフィードバックが提供される。
【００７５】
実施形態は、既存及び将来のアンライセンススペクトルにおけるマルチユーザダウンリンク送信を可能にする。ここで、マルチユーザ送信とは、所与のＯＦＤＭシンボル（ＯＦＤＭ＝直交周波数分割多重化）で複数のユーザに同時に送信することによる、ＯＦＤＭＡ（直交周波数分割多元接続）の概念を指す。
【００７６】
図４はこの可能性を示しており、ユーザ１及び２が同時にダウンリンクデータを受信することができる。
【００７７】
図４において、データは（ユーザ）端末１及び（ユーザ）端末２について、第１チャネルにおいて送信される。
【００７８】
一方、送信情報（制御及びチャネルフィードバック）は、（ユーザ）端末１及び（ユーザ）端末２について、第２チャネルにおいて送信される。ユーザ端末１及びユーザ端末２について、送信情報は同じ第２チャネルにおいて送信される。
【００７９】
しかしながら、端末３及び端末４の送信情報は、異なる第３のチャネルにおいて送信される。
【００８０】
同じライセンスフィードバックメカニズムも、アンライセンス帯域においてユーザ１、２及びユーザ端末３、４に対しマルチユーザＭＩＭＯを実行するために利用され得る。
【００８１】
このライセンスフィードバックプロトコルのさらなる利点は、たとえ何らかの他の近傍の送信機が進行中のデータ送信に干渉する可能性があったとしても、干渉レベルやチャネル品質の情報に基づき、通信を維持することができることである。この干渉レベル及びチャネル品質の情報は、ライセンススペクトルを使用して高い信頼性をもって伝達される。
【００８２】
したがって、隣接するアクセスポイントが干渉し得るとしても、周波数帯域の部分帯域上でサポート可能な変調及び符号化に関する情報が、それらの関連するアクセスポイントに確実に通される。
【００８３】
図５は、セルラ基地局を介した２つのワイヤレスＬＡＮネットワークの間の協調を示す無線ネットワークを示す。破線は、アンライセンス帯域で送信されるべきデータに対するフィードバック及び制御シグナリングのためのライセンススペクトル上での通信を表す。実線は、アンライセンス帯域上で送信されるデータを示す。
【００８４】
図５において、ネットワークコントローラ、アクセスポイント（ＡＰ１、ＡＰ２）及びユーザ端末（ユーザ端末１、ユーザ端末２）が示されている。それらの各々は、例えば、上述したようなデータを受信するための装置、又は、上述したようなデータを送信するための装置として実装されてもよい。
【００８５】
図面に示すような構成の新たな特徴の１つは、例えば、多くのデバイスが、ライセンス周波数チャネルを介して同時にそれぞれのアクセスポイント（ＡＰ１、ＡＰ２）にフィードバックを通信することである。例えば、ネットワークコントローラは干渉されることなくそれらの周波数も読み取ることができるため、アクセスポイントにとって利用可能なだけでなく近傍のネットワークコントローラにとっても利用可能なフィードバックを搬送することによる、この手法に対するさらなる改良が示されている。ネットワークコントローラは翻って、前述した同じライセンス帯域上で通信することによってアクセスポイント間のコーディネータとしての役割を果たすことができる。
【００８６】
ライセンス帯域でワイヤレスＬＡＮ機器から送信されるフィードバックや制御データは、以下のうちの１つ又は複数を含む。
【００８７】
制御：ＲＴＳ／ＣＴＳシグナリング、ユーザ認証メカニズム（例えば、認証及びキー合意プロトコル）、アプリケーション層関連情報（セグメント祠、サービスの優先度）、サービス品質属性、端末同期関連情報。
【００８８】
フィードバック：量子化又は完全チャネル情報、変調及び符号化値、ＡＣＫ／ＮＡＣＫフィードバック、符号化データパケットの周期的冗長検査（ＣＲＣ）、ハイブリッド自動反復要求（Ｈ−ＡＲＱ）のパリティビット、パケット期限タイムスタンプ。
【００８９】
記載されている実施形態は、大きな利点を提供する。例えば、データのＡＣＫ／ＮＡＣＫの衝突が回避される。その上、周波数部分帯域におけるチャネル品質のフィードバックが、アクセスポイントにおけるアンライセンス帯域内でのマルチユーザスケジューリング及びマルチユーザＭＩＭＯを可能にする。さらに、ライセンス帯域における干渉協調のために、フィードバック及び制御データの信頼性が改善される。その上、フィードバックデータ送信用の無干渉ライセンスチャネルで、より高いスペクトル効率が使用される。
【００９０】
いくつかの態様を装置の側面で説明してきたが、これらの態様は対応する方法の説明をも表すことは明らかであり、ブロック又はデバイスが、方法ステップ又は方法ステップの特徴に対応する。同様に、方法ステップの側面で説明されている態様も、対応するブロックもしくは項目又は対応する装置の特徴の説明を表す。
【００９１】
本発明の分解された信号は、デジタル記憶媒体に記憶することができ、又は、インターネットのような、ワイヤレス送信媒体又は有線送信媒体のような送信媒体上で送信することができる。
【００９２】
特定の実施要件に応じて、本発明の実施形態は、ハードウェア又はソフトウェアにおいて実装することができる。実施態様は、それぞれの方法が実施されるように、プログラム可能コンピュータシステムと協働する（又は協働可能である）電子可読制御信号を記憶されている、デジタル記憶媒体、例えば、フロッピーディスク、ＤＶＤ、ＣＤ、ＲＯＭ、ＰＲＯＭ、及びＥＰＲＯＭ、ＥＥＰＲＯＭ又はフラッシュメモリを使用して実施することができる。
【００９３】
本発明によるいくつかの実施形態は、本明細書において説明されている方法の１つが実施されるように、プログラム可能コンピュータシステムと協働可能である、電子可読制御信号を有する持続性データキャリアを含む。
【００９４】
一般的に、本発明の実施形態は、プログラムコードを有するコンピュータプログラム製品として実装することができ、プログラムコードは、コンピュータプログラム製品がコンピュータ上で作動するとき方法の１つを実施するように動作可能である。プログラムコードは、例えば、機械可読キャリア上に記憶されてもよい。
【００９５】
他の実施形態は、機械可読キャリア上に記憶されている、本明細書において説明されている方法の１つを実施するためのコンピュータプログラムを含む。
【００９６】
言い換えれば、本発明の方法の一実施形態は、コンピュータプログラムがコンピュータ上で作動するとき、本明細書において説明されている方法の１つを実施するためのプログラムコードを有するコンピュータプログラムである。
【００９７】
それゆえ、本発明の方法のさらなる実施形態は、本明細書において説明されている方法の１つを実施するためのコンピュータプログラムを記録したデータキャリア（又はデジタル記憶媒体、又はコンピュータ可読媒体）である。
【００９８】
それゆえ、本発明の方法のさらなる実施形態は、本明細書において説明されている方法の１つを実施するためのコンピュータプログラムを表すデータストリーム又は信号シーケンスである。データストリーム又は信号シーケンスは、例えば、データ通信接続を介して、例えば、インターネットを介して転送されるように構成されてもよい。
【００９９】
さらなる実施形態は、本明細書において説明されている方法の１つを実施するように構成され又は適合されている処理手段、例えば、コンピュータ又はプログラム可能論理デバイスを含む。
【０１００】
さらなる実施形態は、本明細書において説明されている方法の１つを実施するためのコンピュータプログラムをインストールされているコンピュータを含む。
【０１０１】
いくつかの実施形態において、本明細書において説明されている方法の機能のいくつか又はすべてを実施するために、プログラム可能論理デバイス（例えば、フィールドプログラマブルゲートアレイ）が使用されてもよい。いくつかの実施形態において、フィールドプログラマブルゲートアレイは、本明細書において説明されている方法の１つを実施するためにマイクロプロセッサと協働することができる。一般的に、方法は好ましくは、任意のハードウェア装置によって実施されてもよい。
【０１０２】
上述した実施形態は、本発明の原理の例示にすぎない。本明細書において説明されている構成及び詳細の修正及び変形が当業者には明らかになることが理解される。それゆえ、本明細書における実施形態の記述及び説明として提示されている特定の詳細ではなく、添付の特許請求項の範囲のみによって限定されることが意図されている。
【図１】
2019013011.tif 000003
【図２】
2019013011.tif 000004
【図３】
2019013011.tif 000005
【図４】
2019013011.tif 000006
【図５】
2019013011.tif 000007
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
データを送信するための装置（２００）とデータを受信するための２つの装置（１００）を備えたシステムであって、
前記データを送信するための装置（２００）は、
アンライセンススペクトル帯域にある第１チャネルで第１の伝達によりデータを送信するデータ送信機（２１０）と、
ライセンススペクトル帯域にある第２チャネルで第２の伝達により送信情報を受信する送信情報受信機（２２０）と、を備え、
前記送信情報が前記第１の伝達に応じて決まる制御情報であるか、又は前記送信情報が前記第１チャネルのチャネル品質を示すチャネル品質情報であり、
前記第２チャネルが前記第１チャネルとは異なり、
前記データを受信するための２つの装置（１００）のそれぞれは、
前記データを送信するための装置（２００）からデータを受信するデータ受信機（１１０）と、
前記データを送信するための装置（２００）に対して前記第２の伝達により送信情報を送信する送信情報送信機（１２０）と、を備え、
前記データを受信するための２つの装置（１００）は、第１のデータ受信装置と第２のデータ受信装置であり、
前記第１の受信装置は送信情報を、前記情報を送信するための装置（２００）に対して第１のライセンススペクトル帯域内で送信するように構成され、
前記第２の受信装置は送信情報を、前記情報を送信するための装置（２００）に対して第２のライセンススペクトル帯域内で、前記第１のデータ受信装置が送信情報を送信するのと同時に送信するように構成され、
前記データを送信するための装置（２００）は前記第１のデータ受信装置からの送信情報と前記第２のデータ受信装置からの送信情報を衝突させることなく受信するのに適合されている、システム。
【請求項２】
前記アンライセンススペクトル帯域はＩＳＭスペクトル帯域である請求項１に記載のシステム。
【請求項３】
前記ライセンススペクトル帯域はＵＭＴＳ帯域である請求項１又は２に記載のシステム。
【請求項４】
前記ライセンススペクトル帯域はＬＴＥ帯域である請求項１又は２に記載のシステム。
【請求項５】
前記データを受信するための２つの装置（１００）のそれぞれの前記送信情報送信機（１２０）は、前記第２チャネル内の前記送信情報として、前記データが受信されたことを示すパケット肯定応答（ＡＣＫ）信号、又はさらなるデータが送信されるべきであることを示す送信要求（ＲＴＳ）信号を送信するように構成されており、
前記データを送信するための装置（２００）の前記送信情報受信機（２２０）は、前記第２チャネル内の前記送信情報として、データが受信されたことを示すパケット肯定応答（ＡＣＫ）信号、又はさらなるデータが送信されるべきであることを示す送信可（ＲＴＳ）信号を受信するように構成されている請求項１から４のいずれか一項に記載のシステム。
【請求項６】
データを送信するための装置（２００）により、アンライセンススペクトル帯域にある第１チャネルで第１の伝達によりデータを送信するステップと、
データを受信するための２つの装置（１００）のそれぞれにより、前記データを送信するための装置（２００）からのデータを受信するステップと、を含み、
データを受信するための２つの装置（１００）のそれぞれは、前記データを送信するための装置（２００）に対し、ライセンススペクトル帯域にある第２チャネルで送信情報を送信し、前記第２チャネルは前記第１チャネルとは異なり、
前記データを送信するための装置（２００）は、ライセンススペクトル帯域にある前記第２チャネルで第２の伝達により前記送信情報を受信し、
前記送信情報が前記第１の伝達に応じて決まる制御情報であるか、又は前記送信情報が前記第１チャネルのチャネル品質を示すチャネル品質情報であり、
前記データを受信するための２つの装置（１００）は、第１のデータ受信装置と第２のデータ受信装置であり、
前記第１の受信装置は送信情報を、前記情報を送信するための装置（２００）に対して第１のライセンススペクトル帯域内で送信し、
前記第２の受信装置は送信情報を、前記情報を送信するための装置（２００）に対して第２のライセンススペクトル帯域内で、前記第１のデータ受信装置が送信情報を送信するのと同時に送信し、
前記データを送信するための装置（２００）は前記第１のデータ受信装置からの送信情報と前記第２のデータ受信装置からの送信情報を衝突させることなく受信する、方法。
【請求項７】
コンピュータ又は信号プロセッサ上で実行されるときに請求項６に記載の方法を実施するためのコンピュータプログラム。